(57)【要約】【課題】本発明では、簡単にコンテナの内容物が確認できる医療器具管理システムを提供する。【解決手段】医療器具管理用携帯端末と、該医療器具管理用携帯端末と通信可能なサーバ装置とからなる医療器具管理システムであって、医療器具管理用携帯端末は、医療器具に付与された医療器具個体識別情報と、前記医療器具を収容するコンテナに付与されたコンテナ個体識別情報とを読み取る読取手段と、前記医療器具個体識別情報と前記コンテナ個体識別情報を前記サーバ装置へ送信する送信手段とを備え、前記サーバ装置は、前記医療器具管理用携帯端末から送信された前記医療器具個体識別情報と前記コンテナ個体識別情報を関連付けて記憶する記憶手段を備えることにより、上記課題の解決を図る。【選択図】      図１
2009077965.tif 000002
【特許請求の範囲】
【請求項１】
医療器具に付与された医療器具個体識別情報を読み取る読取手段と、
前記医療器具個体識別情報を外部のコンピュータまたは印刷装置に出力する出力手段と、
を備えることを特徴とする医療器具管理用携帯端末。
【請求項２】
医療器具に付与された医療器具個体識別情報を読み取る読取手段と、
前記医療器具個体識別情報を、前記医療器具を収容するコンテナに用いられるＲＦＩＤタグの記憶領域に出力する出力手段と、
を備えることを特徴とする医療器具管理用携帯端末。
【請求項３】
前記医療器具管理用携帯端末は、さらに、外部装置と通信する通信手段を備え、
前記読取手段によりさらに前記医療器具を収容するコンテナに付与されたコンテナ個体識別情報を読み取り、前記通信手段により前記医療器具個体識別情報と前記コンテナ個体識別情報とを前記外部装置へ送信する
ことを特徴とする請求項１または２に記載の医療器具管理用携帯端末。
【請求項４】
医療器具管理用携帯端末と、該医療器具管理用携帯端末と通信可能なサーバ装置とからなる医療器具管理システムであって、
医療器具管理用携帯端末は、
医療器具に付与された医療器具個体識別情報と、前記医療器具を収容するコンテナに付与されたコンテナ個体識別情報とを読み取る読取手段と、
前記医療器具個体識別情報と前記コンテナ個体識別情報を前記サーバ装置へ送信する送信手段とを備え、
前記サーバ装置は、前記医療器具管理用携帯端末から送信された前記医療器具個体識別情報と前記コンテナ個体識別情報を関連付けて記憶する記憶手段を備えている
ことを特徴とする医療器具管理システム。
【請求項５】
前記サーバ装置は、さらに、前記医療器具個体識別情報を印刷装置に出力する出力手段
を備えていることを特徴とする請求項５に記載の医療器具管理システム。
【請求項６】
医療器具管理用携帯端末の使用方法であって、
前記医療器具管理用携帯端末により医療器具に付与された医療器具個体識別情報を読み取り、
前記医療器具個体識別情報を印刷装置を用いて印刷し、
前記印刷された医療器具個体識別情報を、前記医療器具を収容するコンテナに付与する
ことを特徴とする医療器具管理用携帯端末の使用方法。
【請求項７】
医療器具管理用携帯端末の使用方法であって、
前記医療器具管理用携帯端末により医療器具に付与された医療器具個体識別情報を読み取り、
前記医療器具管理用携帯端末により前記医療器具個体識別情報を、前記医療器具を収容するコンテナに用いられるＲＦＩＤタグの記憶領域に書き込む
ことを特徴とする医療器具管理用携帯端末の使用方法。
【発明の詳細な説明】
【技術分野】
【０００１】
本発明は、医療器具の管理に関する。
【背景技術】
【０００２】
医療分野においては、検査または手術を行う場合、内視鏡が広く用いられている。内視鏡は、体内に挿入して使用するものであるから、使用した後には確実に消毒滅菌することが必要である。また、消毒滅菌後も手術等で内視鏡を使用するまでは、その消毒滅菌された状態を維持しておく必要がある。そこで、内視鏡器具類は、一般に、コンテナに収納されて管理されている。
【０００３】
しかし、このようにコンテナに内視鏡器具類を収納すると、コンテナ外部からはコンテナ内部の収容物を認識することができず、内容物の確認ができない。そこで、従来、コンテナの中身の個体情報を紙に書き、コンテナの外表面に貼り付けていた。
【特許文献１】特開２００２−２８２２００号公報
【特許文献２】特開２００５−０８２３８１号公報
【特許文献３】特開２００６−０１８５６４号公報
【特許文献４】特開２００１−０４６３２６号公報
【発明の開示】
【発明が解決しようとする課題】
【０００４】
しかしながら、コンテナの中身の個体情報を紙に書き写す場合、写し間違いが起こることがあった。そうすると、コンテナの外表面に貼り付けられた紙に記載された個体情報とコンテナの内容物が一致しない場合があった。このように、従来、コンテナ内容物の所在管理ができていなかった。
【０００５】
上記課題に鑑み、本発明では、簡単にコンテナの内容物が確認できる医療器具管理システムを提供する。
【課題を解決するための手段】
【０００６】
本発明にかかる医療器具管理用携帯端末は、医療器具に付与された医療器具個体識別情報を読み取る読取手段と、前記医療器具個体識別情報を外部のコンピュータまたは印刷装置に出力する出力手段と、を備えることを特徴とする。
【０００７】
本発明にかかる医療器具管理用携帯端末は、医療器具に付与された医療器具個体識別情報を読み取る読取手段と、前記医療器具個体識別情報を、前記医療器具を収容するコンテナに用いられるＲＦＩＤタグの記憶領域に出力する出力手段と、を備えることを特徴とする。
【０００８】
前記医療器具管理用携帯端末は、さらに、外部装置と通信する通信手段を備え、前記読取手段によりさらに前記医療器具を収容するコンテナに付与されたコンテナ個体識別情報を読み取り、前記通信手段により前記医療器具個体識別情報と前記コンテナ個体識別情報とを前記外部装置へ送信することを特徴とする。
【０００９】
本発明にかかる、医療器具管理用携帯端末と、該医療器具管理用携帯端末と通信可能なサーバ装置とからなる医療器具管理システムであって、医療器具管理用携帯端末は、医療器具に付与された医療器具個体識別情報と、前記医療器具を収容するコンテナに付与されたコンテナ個体識別情報とを読み取る読取手段と、前記医療器具個体識別情報と前記コンテナ個体識別情報を前記サーバ装置へ送信する送信手段とを備え、前記サーバ装置は、前記医療器具管理用携帯端末から送信された前記医療器具個体識別情報と前記コンテナ個体識別情報を関連付けて記憶する記憶手段を備えていることを特徴とする。
【００１０】
前記サーバ装置は、さらに、前記医療器具個体識別情報を印刷装置に出力する出力手段を備えていることを特徴とする。
本発明にかかる医療器具管理用携帯端末の使用方法は、前記医療器具管理用携帯端末により医療器具に付与された医療器具個体識別情報を読み取り、前記医療器具個体識別情報を印刷装置を用いて印刷し、前記印刷された医療器具個体識別情報を、前記医療器具を収容するコンテナに付与することを特徴とする。
【００１１】
本発明にかかる医療器具管理用携帯端末の使用方法は、前記医療器具管理用携帯端末により医療器具に付与された医療器具個体識別情報を読み取り、前記医療器具管理用携帯端末により前記医療器具個体識別情報を、前記医療器具を収容するコンテナに用いられるＲＦＩＤタグの記憶領域に書き込むことを特徴とする。
【発明の効果】
【００１２】
本発明によれば、簡単にコンテナの内容物が確認できる。
【発明を実施するための最良の形態】
【００１３】
＜第１の実施形態＞
本実施形態では、コンテナに収納する内視鏡器具類に付与された内視鏡個体識別コードを容易にコンテナの外側表面に付与することができる医療機器管理システムについて説明する。
【００１４】
図１は、第１の実施形態における２次元コードを使用して個体識別をする場合の医療機器管理システムの全体構成を示す。内視鏡１には、一例として、内視鏡個体識別コード：００１を示す２次元コード２が付与されている。また、一例として、コンテナ７の外側にはそれぞれのコンテナを識別するためのバーコード（コンテナ個体識別コード：００９）８が付与されている。
【００１５】
まず、携帯端末３を用いて内視鏡１に付与された２次元コード（内視鏡個体情報：００１）を読み取る。また、携帯端末３を用いてコンテナ７のバーコード８（コンテナ個体識別コード：００９）を読み取る。この読み取った内視鏡個体識別コード：００１と、コンテナ個体識別コード：００９とは、携帯端末３から管理用パーソナルコンピュータ（以下、管理用ＰＣという）４へ送信される。
【００１６】
管理用ＰＣ４では、内視鏡個体識別コード：００１とコンテナ個体識別コード：００９とが関係付けされて、医療機器管理データベース（以下、医療機器管理ＤＢという）に登録される。
【００１７】
その登録後、管理用ＰＣ４は、プリンタ５を用いて内視鏡個体識別コード：００１のコードラベル６を印刷する。ユーザは、印刷されたコードラベル６をコンテナ７の外側に貼り付ける。
【００１８】
そうすると、携帯端末３を用いてそのコンテナ７の外側に貼られたコードラベル６を読み取ることにより、そのコンテナ７に収容された内視鏡１の個体識別をすることができる。
【００１９】
図２は、第１の実施形態におけるＲＦＩＤを使用して個体識別をする場合の医療機器管理システムの全体構成を示す。内視鏡１には、一例として内視鏡個体識別コード：００１が格納されたＲＦＩＤタグ１０が付与されている。また、一例として、コンテナ７の外側にはそれぞれのコンテナを識別するためのバーコード（コンテナ個体識別コード：００９）８が付与されている。
【００２０】
まず、携帯端末３を用いてＲＦＩＤタグ１０から内視鏡個体識別コード：００１を読み取る。また、携帯端末３を用いてコンテナ７のバーコード（個体識別コード：００９）を読み取る。この読み取った内視鏡個体識別コード：００１と、コンテナ個体識別コード：００９とは、管理用ＰＣ４へ送信される。
【００２１】
管理用ＰＣ４では、内視鏡個体識別コード：００１とコンテナ個体識別コード：００９とが関係付けされて、医療機器管理ＤＢに登録される。
その登録後、携帯端末３を用いて、コンテナ７の外側に付与されているＲＦＩＤタグ１１に内視鏡個体識別コード：００１を書き込む。その後、携帯端末３を用いてＲＦＩＤタグ１１を読み取ると、そのコンテナ７に収容される内視鏡の個体識別をすることができる。
【００２２】
図３は、第１の実施形態における管理用ＰＣ４のハードウェア構成を示す。管理用ＰＣ４は、少なくとも中央演算装置（ＣＰＵ）２１、リードオンリーメモリー（ＲＯＭ）２２、ランダムアクセスメモリー（ＲＡＭ）２３、ハードディスクドライブ（ＨＤＤ）２４、ネットワークインターフェースカード（ＮＩＣ）２６、入力インターフェース２７、出力インターフェース２８、バス２９等を備えたコンピュータである。さらに、管理用ＰＣ４は、入力Ｉ／Ｆ２７を介して入力装置３０と接続され、出力Ｉ／Ｆ２８を介して出力装置３１と接続されている。
【００２３】
ＨＤＤ２４またはＲＯＭ２２には、本発明の実施形態にかかるプログラムが格納されている。また、ＨＤＤ２４には、医療機器管理ＤＢ２５が格納されている。医療機器管理ＤＢ２５には、医療機器を管理するために必要な情報が格納されており、例えば、内視鏡−コンテナ関連テーブルＴ１（図４）が格納されている。
【００２４】
また、入力装置３０には、キーボード、マウス、または電子カメラ、マイク、スキャナ、センサ、タブレットなどを用いることが可能である。また、出力装置３１には、ディスプレイ、プリンタ、スピーカなどを用いることが可能である。
【００２５】
また、管理用ＰＣ４は、ＮＩＣ２６を介して、例えば病院内のＬＡＮ（Ｌｏｃａｌ  Ａｒｅａ  Ｎｅｔｗｏｒｋ）に接続されている。なお、接続されるネットワークはＬＡＮに限らず、イントラネット、インターネット、ＬＡＮ、ＷＡＮ、専用線、有線、無線等の通信網に接続されていてもよい。
【００２６】
図４は、第１の実施形態における内視鏡−コンテナ関連テーブルＴ１を示す。内視鏡−コンテナ関連テーブルＴ１は、「内視鏡個体識別コード」、「コンテナ個体識別コード」のデータ項目から構成されている。
【００２７】
上述の通り、管理用ＰＣ４は、携帯端末３から送信された内視鏡個体識別コードとコンテナ個体識別コードとを受信すると、内視鏡−コンテナ関連テーブルＴ１の「内視鏡個体識別コード」、「コンテナ個体識別コード」にそれぞれ格納する。
【００２８】
図５は、第１の実施形態における携帯端末３の内部構成を示す。携帯端末３は、ＣＰＵ４１、ＲＯＭ４２、ＲＡＭ４３、記憶部４４、無線ＬＡＮカード４５、識別コードリーダ４６、操作入力部４７、及び表示部４８、バス４９から構成されている。
【００２９】
ＣＰＵ４１は携帯端末３全体の動作制御を司る中央処理装置である。ＲＯＭ４２は、ＣＰＵ４１によって実行される基本制御プログラムが予め格納されているメモリである。携帯端末３の起動時にＣＰＵ４１がこの基本制御プログラムを実行することによって、携帯端末３全体の動作の基本的な制御がＣＰＵ４１によって行なわれるようになる。
【００３０】
ＲＡＭ（Ｒａｎｄｏｍ  Ａｃｃｅｓｓ  Ｍｅｍｏｒｙ）４３は、記憶部４４に格納されている各種のアプリケーションプログラムをＣＰＵ４１が実行するときにワークメモリとして使用され、また各種のデータの一時的な格納領域として必要に応じて用いられるメインメモリとしても使用されるメモリである。
【００３１】
記憶部４４は、各種のアプリケーションプログラムやデータを記憶して保持しておくメモリであって、たとえば、フラッシュメモリやＨＤＤ、記憶メディア等である。無線ＬＡＮカード４５は、病院内ＬＡＮ（Ｌｏｃａｌ  Ａｒｅａ  Ｎｅｔｗｏｒｋ）を介して管理用ＰＣ４と通信するための通信インターフェースである。
【００３２】
識別コードリーダ４６は、内視鏡個体識別コード、コンテナ個体識別コードを読み取るためのバーコードリーダまたはＲＦＩＤ（Ｒａｄｉｏ  Ｆｒｅｑｕｅｎｃｙ  ＩＤｅｎｔｉｆｉｃａｔｉｏｎ）リーダである。なお、識別コードリーダ４６がＲＦＩＤリーダの場合、ＲＦＩＤライタも搭載されている。
【００３３】
操作入力部４７は、例えば表示部４８に設けられているタッチパネル及び表示部４８の下方に設けられている入力キーである。操作入力部４７は、携帯端末３のユーザによって操作され、この操作の内容を検出してＣＰＵ４１へその操作内容を伝達する。ＣＰＵ４１はその操作内容に対応しているユーザからの指示の内容を認識する。
【００３４】
表示部４８は例えば液晶ディスプレイであり、ＣＰＵ４１から送られてきた各種の情報を表示して視覚によりユーザに各種の情報を提供する。
上述した識別コードリーダ４６と、この操作入力部４７及び表示部４８とはＣＰＵ４１所定のアプリケーションプログラムが実行されることによって各種のデータの入出力が可能となる。
【００３５】
本実施形態によれば、コンテナに収納する内視鏡器具類に付与された内視鏡個体識別コードを容易にコンテナの外側表面に付与することができる。よって、間違いなく中身の個体情報がコンテナに収容した状態で判別することができる。
【００３６】
なお、携帯端末３は、読み取った内視鏡個体識別コードに基づいて、この内視鏡個体識別コードに対応するバーコードを印刷するためのプリンタを備えていても良い。これにより、読み取った内視鏡個体識別コードに基づいて、即時に内視鏡個体識別コードに対応するバーコードを印刷することができるので、その印刷したバーコードをその場でコンテナ７に貼ることができる。
【００３７】
また、本実施形態では、携帯端末３は、読み取った内視鏡個体識別コードまたはコンテナ個体識別コードを管理用ＰＣへ送信するようにしたが、これに限定されない。例えば、携帯端末３は、読み取った内視鏡個体識別コードまたはコンテナ個体識別コードをコンピュータ及び記憶装置（例えば、フラッシュメモリ）等の外部装置へ送信してもよい。
【００３８】
＜第２の実施形態＞
本実施形態では、手術等で準備される内視鏡器具のうち、実際に使用されたものであるか、不使用であるかを区別して登録することにより、内視鏡器具の使用頻度を把握することができるシステムについて説明する。
【００３９】
図６に示すように、コンテナの中身には、カメラヘッド、ライトガイド、吸引シリンジ、ハンドル、マンドリン、ループ電極、シース、洗浄リング等様々な内視鏡器具が収められている。各内視鏡器具には、図７に示すようにそれぞれを識別するための２次元バーコードが付与されている。この２次元バーコードを読取装置により読み取ることで、その内視鏡器具を識別できると共に、所定の作業工程における読取回数をカウントすることで、その内視鏡器具の使用回数をカウントすることができる。
【００４０】
図８は、一般的な内視鏡器具の使用サイクルを示す。同図に示すように、内視鏡器具は保管してある（Ｓ１）。この内視鏡器具を手術で用いた後（Ｓ２，Ｓ３）、内視鏡器具は洗浄（Ｓ４）、消毒（Ｓ５）、乾燥（Ｓ６）される。その後、内視鏡器具の使用回数を確認して、内視鏡器具をセット毎にコンテナに収納する（Ｓ７）。その後、コンテナを移動させ（Ｓ８）、滅菌処理を行い（Ｓ９）、保管室に移動させて（Ｓ１０）、保管する（Ｓ１）。したがって、内視鏡器具は、手術の度に当該サイクルを繰り返し行うことになる。
【００４１】
ところが、Ｓ７では、従来、実際に手術等で使用されたか使用されなかったかを分別して使用回数していなかった。これらの手術機器の使用頻度が把握できていないと、点検の時期を把握したり、使用頻度を平均化するのに問題が生じる。上述の通り、これまでコンテナ単位での使用回数はカウントされていたが、機器単独での使用頻度は把握できなかった。また手術機器単独に個体識別手段を設けて、手術から戻った度に登録・回数をカウントするシステムも提案されているが、一つのコンテナの中でも使用されたものと不使用のものがあるため、使用回数を正確に把握することができなかった。
【００４２】
そこで、使用の度に個体識別手段を呼んで回数をカウントするシステムにおいて、使用／不使用を選択する手段を設けた医療機器管理システムについて説明する。
図９は、第２の実施形態における使用回数カウントシステムを示す。当該システムは、上記のＳ７の工程で使用される。まず、読取装置５２により、内視鏡器具５０に付与された個体情報（製造番号等の個体番号）を読みとる。読取装置５２の構成は、第１の実施形態と同様である。
【００４３】
読取装置５２で読み取られた個体情報は、管理用ＰＣ５２に送信される。管理用ＰＣ５２の構成は、図３と同様である。
ここで、読取装置５２により、内視鏡器具５０に付与された個体情報（製造番号等の個体番号）を読み取る場合、実際に使用した内視鏡器具の個体情報と不使用の内視鏡器具の個体情報とを分別して読み取る必要がある。そこで、管理用ＰＣ５２のモニタに図１０の画面を表示させる。
【００４４】
図１０は、第２の実施形態における実際に使用した内視鏡器具と使用しなかった内視鏡器具を登録するための画面である。読取装置５２により、内視鏡器具５０に付与された個体情報（製造番号等の個体番号）を読み取る場合、まず、管理用ＰＣ５２のモニタには図１０の画面が表示される。
【００４５】
読取装置５２により、実際に使用した内視鏡器具の個体情報を読み取る場合には、チェックボックス「Ｙ」にマウスを用いてチェックをした後に読み取る。
一方、読取装置５２により、使用していない内視鏡器具の個体情報を読み取る場合には、チェックボックス「Ｎ」にマウスを用いてチェックをした後に読み取る。
【００４６】
全ての内視鏡器具について、使用・不使用の登録を終えると、図１１の画面が表示される。
図１１は、第２の実施形態における使用回数画面６０を示す。使用回数画面６０は、コンテナ名表示欄６１、入力者名表示欄６２、使用回数一覧６３、「保存」ボタン６４、「クリア」ボタン６５、「閉じる」ボタン６６から構成される。
【００４７】
コンテナ名表示欄６１には、コンテナを特定する名称が表示される。「入力者」６２には作業者の氏名が表示される。
使用回数一覧６３には、コンテナ名表示欄６１で特定されるコンテナに収納されている内視鏡器具の一覧が表示される。使用回数一覧６３は、「使用／不使用」表示欄、「品目バーコード」表示欄、「品目名称」表示欄、「使用回数」表示欄が表示される。
【００４８】
「使用／不使用」表示欄には、読取装置５２により今回個体情報が読み込まれた内視鏡器具が実際に使用されたか否か（使用：○、不使用：×）が表示される。
「品目バーコード」表示欄、「品目名称」表示欄には、内視鏡器具を識別するコード及びその名称が表示される。「使用回数」表示欄には、前回の使用状況が表示される。「使用回数」には実際に使用した累積回数が表示される。
【００４９】
「保存」ボタン６４を押下すると、使用回数画面６０の内容が医療機器管理ＤＢに登録される。「クリア」ボタン６５を押下すると、使用回数画面６０の内容がクリアされる。「閉じる」ボタン６６を押下すると、使用回数画面６０を閉じる。
【００５０】
図１２は、本発明の実施形態における使用回数カウントシステムを用いた場合の使用回数カウントの結果を示す。管理用ＰＣ５２の医療機器管理ＤＢには、図１１の内容が履歴として保存されている。したがって、「使用／不使用」表示欄の「使用：○」をカウントすることにより、図１２に示すように、実際に使用した内視鏡器具の使用回数を集計することができる。
【００５１】
なお、図１２において、通過回数とは、Ｓ７の工程を通過した回数であって、「使用／不使用」表示欄の「使用：○」と「不使用：×」の和に相当する。よって、Ｓ７の工程を通過した回数と、実際に手術等で使用された使用回数とを判別することができる。その結果、内視鏡器具の使用頻度を算出することもできる。
【００５２】
本実施形態によれば、手術等で準備される内視鏡器具のうち、実際に使用されたものであるか、不使用であるかを区別して登録することができることにより、その使用回数を集計することができる。よって、内視鏡器具の使用頻度を正確に把握することができる。
【図面の簡単な説明】
【００５３】
【図１】第１の実施形態における２次元コードを使用して個体識別をする場合の医療機器管理システムの全体構成を示す。
【図２】第１の実施形態におけるＲＦＩＤを使用して個体識別をする場合の医療機器管理システムの全体構成を示す。
【図３】第１の実施形態における管理用ＰＣ４のハードウェア構成を示す。
【図４】第１の実施形態における内視鏡−コンテナ関連テーブルＴ１を示す。
【図５】第１の実施形態における携帯端末３の内部構成を示す。
【図６】コンテナに収容された内視鏡器具の一例を示す。
【図７】内視鏡器具に付与された２次元バーコードの一例を示す。
【図８】一般的な内視鏡器具の使用サイクルを示す。
【図９】第２の実施形態における使用回数カウントシステムを示す。
【図１０】第２の実施形態における実際に使用した内視鏡器具と使用しなかった内視鏡器具を登録するための画面である。
【図１１】第２の実施形態における使用回数画面６０を示す。
【図１２】第２の実施形態における使用回数カウントシステムを用いた場合の使用回数カウントの結果を示す。
【符号の説明】
【００５４】
１      内視鏡
２      ２次元コード
３      携帯端末
４      管理用ＰＣ
５      プリンタ
６      コードラベル
７      コンテナ
８      バーコード
１０，１１  ＲＦＩＤタグ
２１    ＣＰＵ
２２    ＲＯＭ
２３    ＲＡＭ
２４    ＨＤＤ
２５    医療機器管理ＤＢ
２６    ＮＩＣ
２７    入力インターフェース
２８    出力インターフェース
２９    バス
３０    入力装置
３１    出力装置
４１    ＣＰＵ
４２    ＲＯＭ
４３    ＲＡＭ
４４    記憶部
４５    無線ＬＡＮカード
４６    識別コードリーダ
４７    操作入力部
４８    表示部
４９    バス
【図３】
2009077965.tif 000003
【図４】
2009077965.tif 000004
【図５】
2009077965.tif 000005
【図８】
2009077965.tif 000006
【図１０】
2009077965.tif 000007
【図１】
2009077965.tif 000008
【図２】
2009077965.tif 000009
【図６】
2009077965.tif 000010
【図７】
2009077965.tif 000011
【図９】
2009077965.tif 000012
【図１１】
2009077965.tif 000013
【図１２】
2009077965.tif 000014